(57)【要約】本発明は、ＭＲＩ装置に係る。該装置は、検査に対する人体を受ける検査空間を定義付ける筐体、検査空間を出入りする移動可能な患者台、検査空間において磁場を生成する磁場生成システム、及び、専用受信コイルの一式を有する電磁共鳴受信システムを有する。本発明によれば、少なくとも１つの専用受信コイルは、筐体に対して固定的に取り付けられる。
2007510489.tif 000002
【特許請求の範囲】
【請求項１】
磁気共鳴診断（ＭＲＩ）装置であって：
検査に対して人体を受ける検査空間を定義付ける筐体と；
前記検査空間において磁場を生成する磁場生成システムと；
少なくとも１つの専用受信コイルを有する電磁共鳴受信システムと；
を有し、
前記少なくとも１つの専用受信コイルは、前記筐体に対して、又は前記磁場生成システムの少なくとも１つの送信コイルに対して、固定的に取り付けられる、
ＭＲＩ装置。
【請求項２】
異なる位置に位置決めされた複数の固定された専用受信コイルを有する、
請求項１記載のＭＲＩ装置。
【請求項３】
前記筐体は、前記検査空間に近接する少なくとも１つのカバー板を有し、
前記専用受信コイルは、前記カバー板に対して固定される、
請求項１記載のＭＲＩ装置。
【請求項４】
前記専用受信コイルは、前記カバー板の内部に対して、又は前記カバー板の外部に対して固定される、
請求項３記載のＭＲＩ装置。
【請求項５】
前記筐体は、前記検査空間に近接して少なくとも１つのカバー板を有し、
前記専用受信コイルは、前記カバー板において一体化される、
請求項１記載のＭＲＩ装置。
【請求項６】
前記専用の受信コイルは、前記筐体のカバー板の形状で形成される、
請求項１記載のＭＲＩ装置。
【請求項７】
前記カバー板は、前記筐体の取外し可能部分として使用される、
請求項３又は５記載のＭＲＩ装置。
【請求項８】
前記カバー板は、互いに対して蝶番によって結合された２つ又はそれ以上の板セグメントを有する、
請求項７記載のＭＲＩ装置。
【請求項９】
前記電磁共鳴受信システムは、前記磁場生成システムの１つ又はそれ以上の送信コイルを更に有し、これらの１つ又はそれ以上の送信コイルは受信コイルとして使用される、
請求項１記載のＭＲＩ装置。
【請求項１０】
前記電磁共鳴受信システムは、１つ又はそれ以上の別個のアンテナ要素を更に有する、
請求項１記載のＭＲＩ装置。
【請求項１１】
前記検査空間を出入りして移動可能である患者台を更に有し、
前記電磁共鳴受信システムは、前記患者台において又は前記患者台の下方に取り付けられ、前記患者台に対して固定される、１つ又はそれ以上の受信コイルを更に有する、
請求項１記載のＭＲＩ装置。
【発明の詳細な説明】
【技術分野】
【０００１】
本発明は、磁気共鳴診断（ＭＲＩ）装置に係る。該装置は、検査に対する人体を受ける検査空間を定義付ける筐体、検査空間において磁場を生成する磁場生成システム、及び、少なくとも１つの専用受信コイルを有する電磁共鳴受信システムを有する。
【背景技術】
【０００２】
ＭＲＩ技術は、一般的に既知であり、本願で詳細が説明される必要は無い。あえて言えば、この技術は、検査を受ける人体に対して電磁場を適用することを有し、撮像体積における磁化ベクトルは回転される。ＲＦ励起が除去された後、磁化ベクトルは、ラーモア周波数でＢ０磁場線の周囲に前進し、故に、ＲＦ受信コイルによって受信され得るＲＦ磁気共鳴信号をもたらす。
【０００３】
ＭＲＩ装置は、一般的には、患者等の検査に対する人体を受ける検査空間、及び、検査空間に対して所望の磁場を適用する磁場生成システムを有する。かかる磁場生成システムは、静磁場又はＢ０磁場を生成する静磁場コイル、傾斜磁場を生成する１つ又はそれ以上の傾斜コイル、及び、ＲＦ磁場又はＢ１磁場を生成する１つ又はそれ以上の励起コイルを典型的に有する。この磁場生成システムは、筐体において、検査空間に近接して配置される。典型的に一例では、Ｂ０磁場は、検査されるべき人体の長手方向軸に対して平行である方向を有し、磁場生成システムの筐体は、検査空間の周囲に延びる略円環形を有する。かかる場合、検査空間はまた、「ボア」と示される。他の典型的な例では、Ｂ０磁場は、検査されるべき人体の長手方向軸に対して垂直である方向を有し、磁場生成システムの筐体は、各々が略ディスク型外形を有し、夫々検査空間の上方及び下方に配置された上方筐体及び下方筐体を有する。かかる場合、該システムは、「開放型システム」と示される。
【０００４】
ＭＲＩ装置は、緩和粒子（ｒｅｌａｘｉｎｇ  ｐａｒｔｉｃｌｅ）によって送られた電磁放射を受ける受信アンテナを更に有する。１つ又はそれ以上の磁場生成システムの送信コイルは、受信アンテナとして使用され得る。典型的な例は、直交全身送受信コイルであり、ＱＢＣとも示される。
【０００５】
向上した撮像能力に対して、特別なアンテナ要素が開発されており、該アンテナ要素は、検査を受けている人体に近接して置かれるよう意図される。どのアンテナ要素が使用されるべきかは、検査されるべき人体の部分に依存する。これらの特別なアンテナ要素はまた、局所コイル又は専用受信コイルＤＲＣと示される。装置のなかには、局所コイルのみが受信アンテナとして使用されるもの、即ち、受信システムは、磁場生成システムの送信コイルをいずれも有さないものがある、ことが留意される。
【０００６】
最先端技術においては、これらの専用受信コイルは、別個の要素であり、医療関係者によって人体上に置かれる。そのため、かかる専用受信コイルの使用は、複数の問題に関連付けられる。第１の問題は、撮像工程に関連する。撮像には、アンテナ要素によって拾われた信号の処理、及び、特には医療従事者である人が適切に見ることが出来る画像を生成することが有される。アンテナが患者は外部上に置かれ且つ撮像されるべき対象は内部にあるため、アンテナ要素の実際の位置は所望される位置に十分に対応しないという点において、手によるアンテナ要素の位置付けは、エラーの原因となり得る。
【０００７】
前述の信号処理は、特殊なコンピュータによって行われる。このコンピュータのソフトウェアにおける画像再構成のなかには、アンテナ要素が定義付けられた位置を有するとの推定のもとで開発されたものがある。
【０００８】
この問題は、ＳＥＮＳＥ方法に従って撮像を実行するよう意図されている場合において、特に重要となる。この方法は、当業者には既知である。一例として、Ｋｌａａｓ  Ｐ．  Ｐｒｕｅｓｓｍａｎｎ著、「SENSE:  Sensitivity  Encoding  for  Fast  MRI」、Magnetic  Resonance  in  Medicine、４２、１９９９年、ｐ．９５２−９６２（非特許文献１）が参照される。ＳＥＮＳＥ方法は、アンテナ要素の位置が正確に判っていることを求める。このために、先端技術は、実際の検査の前に参照スキャンを行い、アンテナ要素の実際の位置に関する情報を作ることを求める。複雑な要素は、この情報を実際の患者の検査において有効にするよう、患者は、参照スキャンと検査スキャンとの間は（定義されていない）動きを許されない。
【０００９】
更なる問題は、専用受信コイルの配置が訓練を受けた医療関係者の同席及び時間を必要とするという事実に関わる。また、専用受信コイルの配置は、ＭＲＩ装置で行われなければならない。即ち、この手順は、その時点では待機状態である装置を独占し、装置がコスト効率よく使用され得ない。
【００１０】
更なる問題は、専用受信コイルの配置及び後にそれらを除去する工程が、コイルの損傷を招き得る取扱いを有し、結果的に修理（コスト）を必要とする可能性及びしばらくの間使用不能となる危険性に繋がる、という事実に関わる。
【００１１】
更なる問題は、例えばＥＣＧ信号を生成するよう患者の身体上に他のセンサを配置するよう所望される際に、アンテナ要素が妨害し得る、という事実に関わる。
【００１２】
更なる問題は患者に対する優しさに関わる。２つのスキャンの間動かずに寝ているよう要求されることは、上述されている。また、スキャン中、患者は、専用受信コイルがずれ得るため動いてはいけない。そのほかに、複数のアンテナ要素が患者の身体上に配置されるという事実は患者にとっては不快であり、患者は拘束感を有し得る。
【００１３】
現在、全身スキャン、即ち患者の全身の撮像に対する需要が高まっている。最新技術では、専用受信コイルを有する全身撮像は、患者の全身が多数のコイルで覆われることを求める。これは患者にとって非常に不快であるだけではなく、各患者又はスキャンに関してコイルを置き且つ除去しなければならない担当者には労力を要する。更には、多くの厚いケーブル及び多くのコネクタの取扱いが必要である。安全上、患者の近くの多数のケーブルを低減することが望ましい。
【００１４】
米国特許第２００２／０１３８００１  Ａ１号明細書（特許文献１）は、可動性の担体に固定された少なくとも１つの局所コイルを有するＭＲＩ装置を開示する。該担体は、検査空間において静止して配置された担体取付けに接続される。使用時には、患者は検査空間に位置付けられ、続いて担体は、動かされ、遠隔位置から制御され、患者の体に対して局所コイルを押すようにされる。かかる装置は上述された問題のうちいくつかを低減させるが、依然として問題が残るか、あるいは他の問題を持ち込む。
【００１５】
例えば、可動の担体に対する必要性は、装置の複雑性及びコストを増大する。
【００１６】
更には、患者の体に対してアイテムを押し付けるという事実は、患者にとって不快であり得る。
【００１７】
更には、非常に重要には、検査空間の寸法は既非常に小さく、患者を受けるスペースだけを与えるものであり、これは既に肥満の患者の場合には問題となり得る。可動の担体に加えて担体取付けは、検査空間に配置され、更に検査空間の「空いている」空間を減少させる。
【００１８】
更には、この装置における局所コイルは、患者の体に対して押し付けることによって位置付けられ、局所コイルの実際の位置は、患者の寸法によって確定され、事前に定義付けられない。
【００１９】
更には、全身撮像の場合は特に、患者の側部に位置付けられた受信コイルを有することが一般的に所望される。前述の文献中示される実施例では、１つのみの可動担体が、ボアの上方範囲において位置決めされる。
【特許文献１】米国特許第２００２／０１３８００１  Ａ１号明細書
【非特許文献１】Ｋｌａａｓ  Ｐ．  Ｐｒｕｅｓｓｍａｎｎ著「SENSE:  Sensitivity  Encoding  for  Fast  MRI」
【発明の開示】
【発明が解決しようとする課題】
【００２０】
本発明は、上述された問題のうち少なくとも１つ及び望ましくは全てを排除又は少なくとも低減することを目的とする。
【課題を解決するための手段】
【００２１】
前述の目的を達成するよう、本発明に従ったＭＲＩ装置は、少なくとも１つの専用受信コイルが、筐体又は磁場生成装置の少なくとも１つの送信コイルに対して固定的に取り付けられる、ことを特徴とする。故に、受信コイルを取り扱う工程は省略され得、このコイルの位置は常に非常に正確に判明し得る。
【００２２】
望ましい一実施例では、ＭＲＩ装置は、異なる位置に位置決めされた複数の固定された専用受信コイルを有する。故に、複数の人体部分から同時に画像を得ることが可能である。また、特定の人体部分の画像を得るよう、前出の複数の固定された専用受信コイルのうち適切な１つを選択することが可能である。
【００２３】
実施が容易である有利に単純な一実施例では、固定された専用受信コイルは、絶縁基板上に配置された導電材料のループを有する。優れた機械的性質及び絶縁性の観点において、絶縁基板は、望ましくはポリカーボネートの薄板又は同等のものとして実行される。更なる絶縁に対して、絶縁層が基板上に配置され得、ループにわたってのびる。故に達成可能である実施例は、非常に薄くてよく、装置筐体の内部に内蔵され得る。代わりに、この専用受信コイルの薄い実施例は、検査空間の寸法を大幅に低減させることなく、検査空間において固定され得る。
【００２４】
専用受信コイルが検査空間のカバー板状に容易に配置され得るよう、固定された専用受信コイルの厚さは、望ましくは、受信コイルが折り曲げられうるよう可撓性であるよう小さい。あるいは、専用受信コイルは、略一定の形状を有する堅い基板を有し得る。その場合、専用受信コイルが略一定の形状を有すると有利であり、この形状は、検査空間のカバーの一部分の湾曲したい形状にしたがって湾曲される。
【００２５】
望ましい一実施例では、装置は、検査空間に近接する少なくとも１つのカバー板を有する筐体を有し、専用受信コイルは、カバー板に対して固定される。故に、コイルと検査を受ける患者との間の距離は、常に可能な限り最小である。
【００２６】
望ましい一実施例では、専用受信コイルは、カバー板の内部に対して固定され、カバー板自体は絶縁体として働き得る。
【００２７】
他の望ましい一実施例では、専用受信コイルはカバー板の外部に対して固定される。該例は、筐体の内部がコイルを置く十分な空間を有さない場合、あるいは、専用受信コイルが検査されるべき人体に対して可能な限り近く位置決めされるよう所望される場合において特に有用である。固定された専用ピックアップコイルの設計は、非常に薄くてよく、１ミリメートルより小さいオーダであり、検査空間における貴重な空間は、最大限残され得る。
【００２８】
特に望ましい一実施例では、固定された専用受信コイルは、カバー板において一体化される。続いて、該コイルは、カバー板材料によって完全に絶縁され保護される。
【００２９】
固定された専用受信コイルが筐体のカバー板において一体化される、あるいは該板に対して固定される全ての場合において、カバー板は、望ましくは筐体の取外し可能な部分として使用され得る。これは、コイルの取扱い、取り付け、交換等を容易にする。かかるカバー板の取付けは、カバー板が蝶番によって互いに対して結合される２つ又はそれ以上の板セグメントを有する場合に、更に容易にされる。
【発明を実施するための最良の形態】
【００３０】
本発明のこれらの及び他の面、特徴、及び有利点は、図面を参照して以下の記載によって更に説明される。図中、同一の参照符号は、同一又は同様の部分を示す。
【００３１】
図１Ａは、検査空間２と患者台又は台面３とを有するＭＲＩ装置１の斜視図を概略的に示す。図１Ｂは、ＭＲＩ装置１の断面を概略的に図示し、図１Ｃは、ＭＲＩ装置１の長手方向断面を概略的に図示する。
【００３２】
検査空間２において要求される電磁場を生成するよう、ＭＲＩ装置１は、磁場生成システムを有し、該システムは、図１Ｂ及び図１Ｃ中参照符号４で示される１つ又はそれ以上の適切に設計された送信コイルを有する。かかる送信システムは既知であるため、また、本発明は磁場生成システムの改良を目的としていないため、並びに、本発明は、既知の磁場生成システムを使用して実行され得るため、ここでは磁場生成システム４の設計及び動作をより詳細に説明する必要はない。
【００３３】
磁場生成システム４は、筐体１０において取り付けられる。図解された実施例では、ＭＲＩ装置１は、円筒形であり、その場合、筐体１０は一般的に円筒形を有し、一般的に同様に円筒形を有する検査空間２の周囲でのび、円筒形の主軸は略水平に方向付けられる。かかる設計においては、静磁場又はＢ０磁場は、略水平に方向付けられる。筐体は、円環−円筒形を通常は有するが、楕円形も可能である、ことが留意される。
【００３４】
患者台３は、円筒形の検査空間２に対して整列された長手方向を有し、図１Ａ中矢印Ａによって示される通り、円筒形の検査空間２の前出の主軸に対して平行である方向において可動であるよう配置される。例えば、患者台３は、筐体１０に対して摺動可能又は回転可能であるよう取り付けられ得るか、あるいは、床に対して回転可能であるよう車輪を有する支持上に配置され得る。故に、患者は、患者台３上に横たわっている際、検査空間２へと位置付けられ得る。検査空間２の長手方向の範囲は、約５０ｃｍ又はそれより小さいオーダで比較的制限されるため、検査されるべき人体部分は、筐体１０に対して台３の所望される位置を確定する。
【００３５】
静磁場又はＢ０磁場が略垂直に方向付けられる設計等の他の設計が可能である、ことが留意される。その場合、筐体は、上方筐体及び下方筐体を有し得、各々は略ディスク状の外形を有し、夫々検査空間の上方及び下方に配置される。かかる設計もまた、既知であり、「開放型システム」として称される。本発明は、円筒形のＭＲＩ装置の場合に対して特にここで説明されるが、本発明は事実上全ての型のＭＲＩ装置に対して適用可能であるため、これはかかる円筒形のＭＲＩ装置に対して本発明の保護範囲を制限するよう意図されるものではない、ことが留意される。
【００３６】
検査を受ける人体の核スピンによって生成される電磁共鳴場を感知するよう、また、撮像コンピュータ６によって処理され得る電気ピックアップ信号を生成するよう、ＭＲＩ装置は、電磁共鳴受信システムを更に有する。該システムは、図１Ｂ及び図１Ｃ中参照符号５で示される１つ又はそれ以上の適切に設計された受信アンテナを有する。共鳴受信システム５は、既知の通り、筐体１０において取り付けられた磁場生成システム４の１つ又はそれ以上の送信コイルを有し得る。受信アンテナが電気ピックアップ信号を生成するよう動作する手法が既知であるため、また、撮像コンピュータ６による信号処理が既知であるため、この面をより詳細にここで説明する必要はない。
【００３７】
電磁共鳴システム５は、少なくとも１つの専用受信コイル２０を有する。従来技術のシステムにおいて、受信システムはまた、別個の要素として実施され、患者の身体上に置かれるべき専用受信コイルのシステムを有する。各々は、ケーブル、及び筐体１０又は台面３又はコンピュータ６のソケットへと繋げられるべきケーブルコネクタを備えられる。この種類の専用受信コイルは、別個の受信コイルとして示される。対照的に、本発明によれば、前出の少なくとも１つの専用受信コイル２０は、筐体１０に対して固定的に取り付けられる。
【００３８】
固定された専用受信コイル２０の位置には、複数の可能性がある。図１Ｂ及び図１Ｃは、６つの例を図解し、それらは参照符号２０にＡ乃至Ｆをつけて区別される。
【００３９】
図１Ｂを参照すると、固定された専用受信コイル２０は、検査空間２の上方（２０Ａ）、又は検査空間２の下方（２０Ｂ）、又は検査空間２に近接して水平方向（２０Ｃ）に位置決めされ得る。実際、固定された専用受信コイル２０は、いずれの角度位置でも位置決めされ得る。更には、電磁共鳴受信システム５は、異なる角度位置で位置決めされた複数の固定された専用受信コイルを有する。
【００４０】
図１Ｃを参照すると、固定された専用受信コイル２０は、検査空間２に対して中心（２０Ｄ）、又は検査空間２の台の入口側（２０Ｅ）、又は検査空間２の台の入口に対向する側（２０Ｆ）に、位置決めされ得る。実際には、固定された専用受信コイル２０は、いずれの軸位置でも位置決めされ得る。更には、電磁共鳴システム５は、固定された軸位置で位置決めされた複数の固定された専用受信コイルを有し得る。
【００４１】
図２Ａは、本発明に従った固定された専用受信コイル２０の適切な一実施例の斜視図であり、図２Ｂは、図２Ａ中の線Ｂ−Ｂに従った部分的断面図である。コイル２０は、導電材料のループ２２を有し、該ループは、望ましくは同の薄いストリップ又は同様のものとして実施され、望ましくはポリカーボネートの薄いシート又は同様のものである薄い絶縁基板２１上に配置される。ループ２２は、閉じられていず、端部は参照符号２３で示される。ループ２２は、略１つの巻き線を有するコイルを効果的に構成する。
【００４２】
望ましくは、図２Ｂ中明確に図解される通り、絶縁層２４は、基板２１上に配置され、ループ２２にわたってのびる。絶縁層２４は、基板２１と同一の種類の材料で作られ得る。
【００４３】
望ましい一実施例において、基板２１、ループ２２、及び絶縁層２４の厚さは、受信コイルが可撓性であるよう小さく、図２Ａ中に図解される通り、折り曲げられ得る。例えば、この厚さは、１ｍｍ又はそれより小さいオーダであり得る。しかしながら、基板２１は、厚さ又は材料の選択のいずれかによって硬い基板であることも可能であり、受信コイル２０は、一定の形状を有する。この形状は、平坦又は湾曲であり得る。
【００４４】
有利な一実施例では、受信コイル２０は、標準プリント基板から離れたループ２２を除いて全てエッチング加工によって作られる。
【００４５】
拡大図では、図３は、検査空間２の上方壁の一部分の断面を概略的に図解する。壁のこの部分は、筐体１０のカバー板１２を有し、筐体１０の内部は、磁場生成システム４（図３中図示せず）を有し、参照符号１１で示される。典型的には、カバー板１２は、筐体１０の枠（図示せず）に対して固定される。カバー板１２の主な機能は、患者が筐体１０の内部１１内で全ての機器に触れることができることを防ぐこと、及び、この機器の高電圧に対して電気的絶縁を与えることである。
【００４６】
実際には、カバー板１２は、検査空間２の寸法を最大限にするよう磁場生成システム４の要素に非常に近く位置決めされる。典型的には、現在のシステムにおいて、カバー板１２の厚さは、５ｍｍのオーダである。
【００４７】
従来のＭＲＩ装置の場合及び新しい設計の場合、本発明は、図３中に図解する通り、現在のカバー板１２に対して専用受信コイル２０を固定することによって実行され得る。専用受信コイル２０は、カバー板１２の内部（２０Ｇ）、又はカバー板１２の外部（２０Ｈ）に対して固定され得る。しかしながら、ＭＲＩ装置１が複数の専用受信コイル２０を有することは、可能である内部に対して固定される。カバー板１２は一般的に磁場生成システム４の要素に対して非常に近く位置決めされるが、カバー板１２と前出の要素との間の距離は、全ての場所で同一ではない、ことが留意される。場所によっては、カバー板１２と前出の要素との間の半径方向の距離は、問題なく受信コイルを収容できるよう十分大きくあり得る。その場合、かかる比較的「大きな」位置は、１つ又はそれ以上の専用受信コイルを配置するよう望まれる。
【００４８】
カバー板１２の内部に対して固定された専用受信コイル２０Ｇの場合、カバー板１２はまた、患者と受信コイルとの間の絶縁保護として機能する。カバー板１２の外部に固定された専用受信コイル２０Ｈの場合は、受信コイルの上方に更なるカバー板（図示せず）を適用することが勧められる。特に受信コイル２０が検査空間２に向かって方向付けられた基板２１を有して取り付けられる場合、基板２１が既に絶縁を与えるため、この更なるカバー板は比較的薄い板で有り得る。
【００４９】
いずれの場合においても、本発明に従った薄く、固定された専用受信コイル２０の追加は、検査空間２の寸法を僅かにのみ低減させることが明らかであるべきである。
【００５０】
また、従来のカバー板１２を取り替えるよう、又は新しく製造されたＭＲＩ装置の一部分として、新しいカバー板４２を設計することは可能であり、図４中に図解される通り、１つ又はそれ以上の専用受信コイル（２０Ｉ）が一体化される。かかる場合、受信コイル２０Ｉは、カバー板材料において埋め込まれ、自動的に絶縁を与える。
【００５１】
あるいは、ＰＣＢで作られる際等の十分な剛性及び強度を有する固定された専用受信コイルの場合、カバー板の形状において専用受信コイル２０自体を形成することが可能である。
【００５２】
実際には、例えば患者の身体と固定された専用受信コイル２０との間の比較的大きな距離が十分な画質を与えない場合によりよい画質を得るよう、１つ又はそれ以上の別個の専用コイルを使用することが所望され得る。かかる場合、固定された専用受信コイル２０の存在は、別個の専用コイルの動作に影響を与え得る。これを避けることができるよう、固定された専用受信コイル２０を除去することが所望され得る。このため、望ましい一実施例では、固定された少なくとも１つの専用受信コイル２０を有するカバー板１２，４２は、筐体１０の取外し可能な部分として実行され得る。かかるカバー板１２，４２の除去を容易にするよう、また、「空の」（即ちコイルが固定されていない）カバー板による取替えを容易にするよう、本発明に従ったカバー板１２，４２は、２つ又はそれ以上の板セグメント１３を望ましくは有し、該セグメントは、図５中に概略的に図解される通り蝶番１４によって互いに対して結合される。
【００５３】
本発明が上述された実施例に制限されないが、複数の変更及び修正が添付の請求項に置いて定義付けられた本発明の範囲内で可能であることは、当業者にとっては明らかであるべきである。
【００５４】
例えば、少なくとも１つの固定された専用受信コイル２０のほかに、ＭＲＩ装置１は、１つ又はそれ以上の別個のアンテナ要素を有し得る。例えば、特に患者の頭部を撮像する際、別個の専用頭部コイルが望ましくは使用される。
【００５５】
更には、ＭＲＩ装置１は、図１Ｃ中に参照符号２０Ｊで図解される通り、患者台において又は患者台の下方に取り付けられ、患者台に固定された１つ又はそれ以上のアンテナ要素を有し得る。更には、ＭＲＩ装置１は、患者台の下方に取り付けられ、筐体１０に対して固定され、台を案内するレールの間に位置決めされた１つ又はそれ以上のアンテナ要素を有し得る。
【００５６】
更には、筐体及び前出のレールが床に対して別個に支持される、ことが可能である。かかる場合、ＱＢＣ（又は他の送信コイル）及び少なくとも１つの固定された専用受信コイルは、前出のレールに対していずれも固定され得る。少なくとも１つの固定された専用受信コイルは、ＱＢＣ等の磁場生成システムの少なくとも１つの送信コイルに対して固定される、ことが望ましい。
【図面の簡単な説明】
【００５７】
【図１Ａ】本発明に従ったＭＲＩ装置の斜視図を概略的に示す。
【図１Ｂ】図１ＡのＭＲＩ装置の断面を概略的に示す。
【図１Ｃ】図１ＡのＭＲＩ装置の長手方向断面を概略的に示す。
【図２Ａ】本発明に従った固定された専用受信コイルの一実施例の斜視図を概略的に示す。
【図２Ｂ】図２Ａにおける線Ｂ−Ｂに沿った部分的断面を概略的に示す。
【図３】コイルを取り付けられたカバー板の部分的断面を概略的に示す。
【図４】一体化されたコイルを有するカバー板の部分的断面を概略的に示す。
【図５】蝶番で互いに結合された板部分を有するカバー板を概略的に図解する。
【図１Ａ】
2007510489.tif 000003
【図１Ｂ】
2007510489.tif 000004
【図１Ｃ】
2007510489.tif 000005
【図２Ａ】
2007510489.tif 000006
【図２Ｂ】
2007510489.tif 000007
【図３】
2007510489.tif 000008
【図４】
2007510489.tif 000009
【図５】
2007510489.tif 000010
【国際調査報告】
2007510489.tif 000011
2007510489.tif 000012
2007510489.tif 000013